(57)【要約】【課題】電線接続用のコネクタにおいて、レセプタクルを確実に基板に固定でき、プラグを構成するシェルとボディ、及びレセプタクルの三者を簡単な構成により確実に嵌合ロックすることを可能とする。【解決手段】プラグ４は、電線Ｗを接続する電極と、これを保持するボディ２と、これらを覆うシェル３を有し、ボディ２とシェル３はこれらの左右端に設けられた突起とボディ係合縁とが係合されている（係合部分Ｐ）。レセプタクル７は、プラグ４の電極を接続する電極５と、これを保持するハウジング６と、突起８１を有する保持金具８とを有している。プラグ４とレセプタクル７の嵌合において、プラグ４側のシェル３に設けられた係合用のレセプタクル係合縁３２とレセプタクル７側の保持金具８の突起８１とを引っ掛けて嵌合ロックが行われ（係合部分Ｑ）、シェル３と保持金具８の間で導通が行われる。【選択図】図１
2005310511.tif 000002
【特許請求の範囲】
【請求項１】
電線を電気接続するとともに外部に電気接続する電極、この電極を保持するボディ、及びこのボディを覆うシェルを有するプラグと、前記プラグの電極を電気接続する電極及びこの電極を保持するハウジングを有するレセプタクルと、を備えたコネクタにおいて、
前記シェルは、板材から形成され、前記ボディの被係合部に係合するための第１の係合部と、前記レセプタクルの被係合部に係合するための第２の係合部とを備え、これらの第１及び第２の係合部は前記板材から切り起こした突片とこの突片を切り起こすことにより形成された開口を用いて互いに近接して形成されたことを特徴とするコネクタ。
【請求項２】
電線を電気接続するとともに外部に電気接続する電極、この電極を保持するボディ、及びこのボディを覆うシェルを有するプラグと、前記プラグの電極を電気接続する電極及びこの電極を保持するハウジングを有するレセプタクルと、を備えたコネクタにおいて、
前記レセプタクルは、前記ハウジングを本コネクタが装填される基板に固定するための板材からなる保持金具を備え、
前記ハウジングは、前記保持金具を固定するための嵌合溝を備え、
前記保持金具は、板材の一部を基板への固定用の足部として残し、他の部分を曲げ起こし、この曲げ起こし部を前記嵌合溝に挿入し、この曲げ起こし部に設けた開口が溝内に設けた凸部を挟み込むようにして前記ハウジングに固定されることを特徴とするコネクタ。
【請求項３】
前記保持金具は、前記曲げ起こし部の上部をさらに折り返して垂下片を形成し、この垂下片の外面にプラグのシェルを係合するための突起を形成し、前記垂下片にはシェルを誘い込むための斜面を形成したことを特徴とする請求項２に記載のコネクタ。
【発明の詳細な説明】
【技術分野】
【０００１】
本発明は、電線接続用のコネクタに関し、特に複数の電線を並べて接続する嵌合ロック構造を備えたコネクタに関する。
【背景技術】
【０００２】
従来から、コンピュータなどの複数の信号を扱う電子機器において複数の電線を併設した帯状のフラットケーブルを一括して接続するためのプラグとレセプタクルからなるコネクタが用いられている（例えば、特許文献１参照）。このようなコネクタにおいて、プラグとレセプタクルの一方、例えばプラグは電線に接続され、他方のレセプタクルは回路基板上の回路にハンダ接続して用いられる。このとき、レセプタクルを回路基板に機械的に固定するため保持金具を用いるものがあり、この保持金具は、プラグをレセプタクルに機械的に固定するためにも用いるとともに、プラグの金属カバーを接地する部品としても用いられている。
【特許文献１】特開平７−１３０４１５号公報
【発明の開示】
【発明が解決しようとする課題】
【０００３】
しかしながら、上述したような保持金具を用いるコネクタにおいて、以下に示すような問題点がある。このような保持金具を備えたレセプタクルを図６により説明する。ハウジング９５は、長手方向に複数の電極を並べて保持するための樹脂成形品であり、図６（ａ）において、その長手方向の一端部分のみが示されている。このようなハウジング９５を回路基板に固定するため、保持金具９０が用いられる。この保持金具９０は、図示しない他端においても同様に用いられ、ハウジング９５は、その両端をそれぞれ保持金具９０で固定される。この保持金具９０は、基板へのハンダ付けを行うための足部９２と足部から立ち上がり、前方で立ち下がる垂下部９３を有している。垂下部９３には左右に抜止の突起９３ａが設けられている。また、立上り部には上方から接近して接合されるプラグを嵌合ロックするための突起９１が設けられている。保持金具９０は、ハウジングに設けられた嵌合孔９６に圧入され、図６（ｂ）に示すようにハウジング９５と一体化されて、レセプタクル９が完成する。
【０００４】
このようにして形成されたレセプタクル９は、保持金具９０を樹脂成形品のハウジングを押し広げるように圧入するので、図６（ｂ）に示すように、亀裂９７が発生してしまうことがある。また、この保持金具９０は、図７に示すように、３ヶ所の曲げ部Ｃ１，Ｃ２，Ｃ３を有しているので曲げバラツキにより足部９２の平坦度がバラツキ易く、回路基板ＰＣＢとのハンダ付けに余分なハンダの消費が発生する。また、このような保持金具９０の３回曲げによると、保持金具９０を板材からプレス加工により形成してめっき処理した後の最終の分断面が足部９２の端面９２ａとなる。この端面９２ａにはハンダ処理がなされていないので、この部分におけるハンダの濡れが悪くなる問題がある。
【０００５】
本発明は、上記課題を解消するものであって、レセプタクルを損傷することなく確実に基板に固定でき、シェルとボディを簡単な構成により嵌合してプラグを形成し、シェルとレセプタクルを嵌合して簡単な構成により三者を確実に嵌合ロックする機構を備えた電線接続用のコネクタを提供することを目的とする。
【課題を解決するための手段】
【０００６】
上記課題を達成するために、請求項１の発明は、電線を電気接続するとともに外部に電気接続する電極、この電極を保持するボディ、及びこのボディを覆うシェルを有するプラグと、前記プラグの電極を電気接続する電極及びこの電極を保持するハウジングを有するレセプタクルと、を備えたコネクタにおいて、前記シェルは、板材から形成され、前記ボディの被係合部に係合するための第１の係合部と、前記レセプタクルの被係合部に係合するための第２の係合部とを備え、これらの第１及び第２の係合部は前記板材から切り起こした突片とこの突片を切り起こすことにより形成された開口を用いて互いに近接して形成されたものである。
【０００７】
請求項２の発明は、電線を電気接続するとともに外部に電気接続する電極、この電極を保持するボディ、及びこのボディを覆うシェルを有するプラグと、前記プラグの電極を電気接続する電極及びこの電極を保持するハウジングを有するレセプタクルと、を備えたコネクタにおいて、前記レセプタクルは、前記ハウジングを本コネクタが装填される基板に固定するための板材からなる保持金具を備え、前記ハウジングは、前記保持金具を固定するための嵌合溝を備え、前記保持金具は、板材の一部を基板への固定用の足部として残し、他の部分を曲げ起こし、この曲げ起こし部を前記嵌合溝に挿入し、この曲げ起こし部に設けた開口が溝内に設けた凸部を挟み込むようにして前記ハウジングに固定されるものである。
【０００８】
請求項３の発明は、請求項２に記載のコネクタにおいて、前記保持金具は、前記曲げ起こし部の上部をさらに折り返して垂下片を形成し、この垂下片の外面にプラグのシェルを係合するための突起を形成し、前記垂下片にはシェルを誘い込むための斜面を形成したものである。
【発明の効果】
【０００９】
請求項１の発明によれば、シェルとボディ、及びプラグとレセプタクルをそれぞれ嵌合ロックするための２種類の係合部を板材から切り起こした突片とこの突片を切り起こすことにより形成された開口を用いて互いに近接して形成するので、これらを別々の場所に形成する場合に比べて係合用スペースをより少なくできる。
【００１０】
請求項２の発明によれば、保持金具の曲げ起こし部を嵌合溝に挿入し、この曲げ起こし部に設けた開口が溝内に設けた凸部を挟み込むように圧入して保持金具をハウジングに固定するので、圧入部から足部まで１回の曲げで構成され、曲げバラツキによる足部の平坦度への影響が小さく、また、圧入がハウジングに設けられた凸部を挟みこむ圧縮力をハウジングに与えるのみであり、押し広げることがなく、ハウジングの割れが発生しない。また、保持金具をめっきした後に板材から分断する分断面を足部の端面以外に設けることが容易な構造であり、足部を基板にハンダ付けする場合、足部に非めっき部がなくハンダ処理がより確実となる。
【００１１】
請求項３の発明によれば、シェル従ってプラグとレセプタクルの係合を容易に行うことができる。
【発明を実施するための最良の形態】
【００１２】
以下、本発明の一実施形態に係る電線接続用のコネクタについて、図面を参照して説明する。図１は本発明のコネクタ１０のプラグ４とレセプタクル７が分離した状態と、プラグ４とレセプタクル７が接合された状態を示す。プラグ４は、図１（ａ）に示すように、左右に長い矩形形状をしており、複数の電線からなる電線Ｗを接続する複数の電極（不図示）と、これを保持するボディ２と、これらをを覆う電気導体からなるシェル３を有している。ボディ２とシェル３は左右端に設けられた係合部分Ｐにおいて係合されている。シェル３がプラグ４の電極を覆ってこれを保護している。
【００１３】
レセプタクル７は、プラグの電極を電気接続する複数の電極５、及びこの電極５を保持するハウジング６を有している。レセプタクル７の左右端には、突起（被係合部）８１を有する保持金具８が設けられている。この突起８１は、コネクタ１０の接合状態において、図１（ｂ）に係合部分Ｑとして示すように、シェル３に設けられた係合用のレセプタクル係合縁３２と係合される。このように、プラグ４とレセプタクル７の嵌合において、プラグ４側のシェル３とレセプタクル７側の保持金具８とを引っ掛けて嵌合ロックが行われ、同時にシェル３と保持金具８の間で導通が行われる。
【００１４】
また、プラグ４の電極は、ボディ２の下方に導かれており、コネクタ１０の接合状態においてレセプタクル７の電極５と接続される。レセプタクル７の電極５は、レセプタクル７の下面と同じレベルまで延伸されてハンダ付端子５１を形成している。保持金具８の足部８２は、その下面をハンダ付け端子５１の下面と同じレベルとされる。レセプタクル７を装着する基板（不図示）にハンダ付け端子５１と足部８２をハンダ付し、プラグ４をこれに接合して係合部分Ｑにより嵌合されてロックすると、電線Ｗと基板上の回路とが電気接続され、シェル３が保持金具８を介して基板の電極（通常はグランド）に導通される。
【００１５】
次に、プラグ４の係合部分Ｐの詳細を説明する。図２（ａ）、図３（ａ）は、プラグ４からシェル３を外した状態を示し、図２（ｂ）、図３（ｂ）は、電線Ｗを接続した使用状態のプラグ４を示す。シェル３は、板材から形成され、ボディ２に設けられた係合用突起２１に係合するためのボディ係合縁（第１の係合部）３１と、レセプタクル７の係合用突起８１に係合するためのレセプタクル係合縁（第２の係合部）３２とを備えている。
【００１６】
ボディ係合縁３１は、前記板材から切り起こした突片３０に形成した窓の窓縁からなり、レセプタクル係合縁３２は、突片３０を切り起こすことにより形成された開口（くりぬき部）の開口縁からなっている。プラグ４の係合部分Ｐは、ボディ２の突起（被係合部）２１にボディ係合縁３１を、掛けて形成される。突片３０の下端に外向きの反りを与え、突起２１の上部に傾斜を設け、突片３０の弾力を利用して、これらを滑らかに係合（パッチン止め）することができる。なお、この係合部分Ｐは、突片３０に窓を形成することなく、突片３０の下端を内側に曲げ込んで突起２１の下部に食い込む用に形成してもよい。また、突起２１の代わりに凹部を形成し、この凹部に嵌合する凸部を突片３０に形成し、これらが滑り込んで嵌合するように係合部分Ｐを形成してもよい。なお、プラグ４とレセプタクル７との嵌合ロックは、係合部分Ｑにより行われる。
【００１７】
シェル３におけるこれらのボディ係合縁３１とレセプタクル係合縁３２は、互いに近接して形成されており、省スペースの係合構造が達成される。図１，図２には電線Ｗと電気接続される電極１が図示されており、電極１は側面電極１１や下面電極まで延伸されて、前述のように、レセプタクル７と電気接続される。
【００１８】
次に、シェル３とレセプタクル７の係合部分Ｑを形成する保持金具８について詳細説明する。図４（ａ）（ｂ）は保持金具８を示し、図５（ａ）は保持金具８を装着するためのレセプタクル７の構造を示し、図５（ｂ）は保持金具８を装着した状態のレセプタクル７を示す。保持金具８は、図４（ａ）（ｂ）に示すように、概略矩形の板材の一部をハンダ付け足部８２として残し、他の部分を曲げ起こした曲げ起こし部８３と、この曲げ起こし部８３の上部において左右の立上り面を翼形状片８４として残して中央部をさらに略１８０゜曲げ込んだ垂下片８５とを形成し、曲げ起こし部８３に開口８６を形成し、垂下片８５の外面にシェル３を誘い込むための曲げ斜面Ｒとシェル３と嵌合ロックして係合するための突起２１を形成している。
【００１９】
翼形状片８４の上端は、保持金具８を形成してめっき処理した後、板材から切断分離する分断面８４ａとなっている。基板等にハンダ付けをするための足部８２には全面にわたってめっきが施されているので、この分断面８４ａにはめっき処理が施されないがハンダ付けとは関係なく、めっきがないことによる問題はない。
【００２０】
レセプタクルのハウジング６の長手方向左右端（図には左端部が図示されている）には、図５（ａ）に示すように、長手方向に直交する方向に保持金具８を挿入するための嵌合溝６２が中央部を開放した形状に、すなわちハウジング６の端部で保持金具８を抱え込む形状に形成されている。また、嵌合溝６２の中央部には、凸部６１が設けられている。保持金具８は、嵌合溝６２に上方から挿入され、曲げ起こし部８３に設けた開口８６が溝内に設けた凸部６１を挟み込むようにして嵌合固定される。開口８６の最小横幅ａは、凸部６１の横幅ｂよりも若干狭くされており、凸部６１は開口８６に圧入される。
【００２１】
このように、保持金具８は、その足部８２から１回の曲げで構成された曲げ起こし部８３においてハウジング６に固定されるので、足部８２の平坦度に対し曲げバラツキによる影響が小さい。また、ハウジング６の凸部６１を挟みこむように、つまり圧縮する方向に圧入するため、ハウジング６の割れが発生しない。
【００２２】
なお、本発明は、上記構成に限られることなく種々の変形が可能である。また、プラグとレセプタクルの名称は、上記の用い方に限定されるものではなく、電線Ｗを接続する側をレセプタクルと呼び、これが接続される相手側をプラグと呼ぶこともできる。
【図面の簡単な説明】
【００２３】
【図１】（ａ）は本発明の一実施形態に係る電線接続用のコネクタのプラグとレセプタクルの斜視図、（ｂ）は同プラグとレセプタクルが接合されたコネクタの斜視図。
【図２】（ａ）は同上コネクタのプラグの分解斜視図、（ｂ）は同プラグの斜視図。
【図３】（ａ）は同上コネクタのプラグの分解斜視図、（ｂ）は同プラグの斜視図。
【図４】（ａ）は同上保持金具の側面図、（ｂ）は同斜視図。
【図５】（ａ）は同上コネクタのレセプタクルにおける保持金具装着の様子を示す部分斜視図、（ｂ）は同レセプタクルに保持金具を装着の状態の部分斜視図。
【図６】（ａ）は従来のコネクタのレセプタクルにおける保持金具装着の様子を示す部分斜視図、（ｂ）は同保持金具を装着したレセプタクルの部分斜視図。
【図７】従来のコネクタのレセプタクルにおける保持金具装着部分の部分側面図。
【符号の説明】
【００２４】
１    電極
２    ボディ
３    シェル
４    プラグ
５    電極
６    ハウジング
７    レセプタクル
８    保持金具
２１    突起（被係合部）
３０    突片
３１    ボディ係合縁（第１の係合部）
３２    レセプタクル係合縁（第２の係合部）
６１    凸部
６２    嵌合溝
８１    突起（被係合部）
８２    足部
８３    曲げ起こし部
８５    垂下片
８６    開口
Ｐ    係合部分
Ｑ    係合部分
Ｒ    斜面
Ｗ    電線
【図１】
2005310511.tif 000003
【図２】
2005310511.tif 000004
【図３】
2005310511.tif 000005
【図４】
2005310511.tif 000006
【図５】
2005310511.tif 000007
【図６】
2005310511.tif 000008
【図７】
2005310511.tif 000009